【手続補正書】
【提出日】平成18年12月21日(2006.12.21)
【手続補正１】
【補正対象書類名】明細書
【補正対象項目名】発明の名称
【補正方法】変更
【補正の内容】
【発明の名称】ユーザインタフェース装置及びその制御方法
【手続補正２】
【補正対象書類名】明細書
【補正対象項目名】特許請求の範囲
【補正方法】変更
【補正の内容】
【特許請求の範囲】
【請求項１】
手動操作が可能な２つの方向キーと、
メニューを含む可視表示を生成させる信号を出力し、前記キーの操作に応答して、前記メニューから選択を実施すること、および前記メニューに対してカーソルを相対移動させることを可能とするマイクロプロセッサとを備え、
前記マイクロプロセッサは、
単一の前記方向キーを断続的に押すことに応答して、当該押したキーに応じた第１および第２の方向に、前記カーソルを１ステップずつ前記メニューに対して相対移動させ、
さらに、前記方向キーが、予め設定された期間よりも長い期間、押したままの場合、当該押したキーに応じた方向に、前記カーソルを前記メニューに対してスクロールさせる
ことを特徴とするデータ入力用のユーザインタフェース装置。
【請求項２】
前記予め設定された期間よりも長い期間、一方の前記方向キーを押した状態で、他方の前記方向キーを断続的に押したときに、前記マイクロプロセッサは前記カーソルを前記メニューに対して相対的にジャンプさせることを特徴とする請求項１に記載のユーザインタフェース装置。
【請求項３】
両方の前記方向キーの同時操作に応答して、前記マイクロプロセッサは、前記カーソルによって指示されたメニュー項目の選択を行うことを特徴とする請求項１または２に記載のユーザインタフェース装置。
【請求項４】
予め定められた期間よりも長く両方の前記方向キーを押す操作に応答して、前記マイクロプロセッサはエスケープを行うことを特徴とする請求項１乃至３のいずれか１項に記載のユーザインタフェース装置。
【請求項５】
更に、第３のキーを含み、前記マイクロプロセッサは、前記第３のキーの操作に応答して、前記２つの方向キーを同時に押す操作に対応する処理を実行することを特徴とする請求項１乃至３のいずれか１項に記載のユーザインタフェース装置。
【請求項６】
前記メニューの前記第１および第２の方向に対して交軸方向の相対的なカーソル移動を前記マイクロプロセッサに生じさせるように指示する２つの方向キーをさらに備えることを特徴とする請求項１乃至５のいずれか１項に記載のユーザインタフェース装置。
【請求項７】
旋回軸点を中心にロック可能なジョイスティックまたは単一のキーを設け、前記ジョイスティックまたは前記単一のキーを下方に押す操作に応答して、前記マイクロプロセッサは、前記２つの方向キーを同時に押す操作に対応する処理を実行することを特徴とする請求項３に記載のユーザインタフェース装置。
【請求項８】
前記マイクロプロセッサが出力した信号に応答して表示を生成する表示手段を含むことを特徴とする請求項１乃至７のいずれか１項に記載のユーザインタフェース装置。
【請求項９】
前記キーを介して入力されたデータを記憶するメモリを含むことを特徴とする請求項１乃至８のいずれか１項に記載のユーザインタフェース装置。
【請求項１０】
前記メニューが文字列で構成されるリストを含むことを特徴とする請求項１乃至９のいずれか１項に記載のユーザインタフェース装置。
【請求項１１】
前記メニューが、ソフトウェア・キーボードの表示を含む、請求項１から９のいずれか１項に記載のユーザインタフェース装置。
【請求項１２】
手動操作可能な２つの方向キーと、メニューを含む可視表示を生成させる信号を出力し、前記キーの操作に応答して、前記メニューから選択を実施すること、および前記メニューに対してカーソルを相対移動させることを可能とするマイクロプロセッサとを備えたデータ入力用のユーザインタフェース装置の制御方法であって、
単一の前記方向キーを断続的に押すことによって、前記マイクロプロセッサが前記カーソルを、当該押したキーに応じた第１および第２の方向に前記メニューに対して１ステップずつ相対移動させ、
さらに、予め設定された期間よりも長い間、前記方向キーを押したままにすることによって、当該押したキーに応じた方向に、前記カーソルを前記メニューに対して相対的にスクロールさせることを特徴とするデータ入力用のユーザインタフェース装置の制御方法。
【請求項１３】
前記予め設定された期間よりも長い期間、一方の前記方向キーを押したままにして他方の前記方向キーを断続的に押したときに、前記マイクロプロセッサが前記カーソルを前記メニューに対して相対的にジャンプさせることを特徴とする請求項１２に記載の制御方法。
【請求項１４】
両方の前記方向キーの同時操作に応答して、前記マイクロプロセッサが、前記カーソルによって指示されたメニュー項目の選択を行うことを特徴とする請求項１２または１３に記載の制御方法。
【請求項１５】
予め定められた期間よりも長く両方の前記方向キーを押す操作に応答して、前記マイクロプロセッサがエスケープを行うことを特徴とする請求項１２乃至１４のいずれか１項に記載の制御方法。
【請求項１６】
前記マイクロプロセッサが第３のキーの操作に応答して、前記２つの方向キーを同時に押す操作に対応する処理を実行することを特徴とする請求項１２乃至１５のいずれか１項に記載の制御方法。
【請求項１７】
前記メニューの前記第１および第２の方向に対して交軸方向の相対的なカーソル移動を前記マイクロプロセッサに生じさせるように指示する２つの方向キーをさらに使用可能にすることを特徴とする請求項１２乃至１６のいずれか１項に記載の制御方法。
【請求項１８】
旋回軸点を中心にロック可能なジョイスティックまたは単一のキーを設け、前記ジョイスティックまたは前記単一のキーを下方に押す操作に応答して、前記マイクロプロセッサが、前記２つの方向キーを同時に押す操作に対応する処理を実行することを特徴とする請求項１２乃至１７のいずれか１項に記載の制御方法。
【請求項１９】
前記マイクロプロセッサが出力した信号に応答して表示を生成する工程を含むことを特徴とする請求項１２乃至１８のいずれか１項に記載の制御方法。
【請求項２０】  前記キーを介して入力されたデータをメモリに記憶する工程を含むことを特徴とする請求項１２乃至１９のいずれか１項に記載の制御方法。
【請求項２１】
前記メニューは文字列から構成されるリストを含むことを特徴とする請求項１２乃至２０のいずれか１項に記載の制御方法。
【請求項２２】
前記メニューはソフトウェア・キーボードを含むことを特徴とする請求項１２乃至２０のいずれか１項に記載の制御方法。
【請求項２３】
請求項１２乃至２２のいずれか１項に記載の制御方法をコンピュータに実行させるコンピュータ命令を記憶することを特徴とするコンピュータ読取り可能な記憶媒体。
【手続補正３】
【補正対象書類名】明細書
【補正対象項目名】０００６
【補正方法】変更
【補正の内容】
【０００６】
【課題を解決するための手段】
この課題を解決するため、本発明のユーザインタフェース装置は以下の構成を備える。すなわち、
手動操作が可能な２つの方向キーと、
メニューを含む可視表示を生成させる信号を出力し、前記キーの操作に応答して、前記メニューから選択を実施すること、および前記メニューに対してカーソルを相対移動させることを可能とするマイクロプロセッサとを備え、
前記マイクロプロセッサは、
単一の前記方向キーを断続的に押すことに応答して、当該押したキーに応じた第１および第２の方向に、前記カーソルを１ステップずつ前記メニューに対して相対移動させ、
さらに、前記方向キーが、予め設定された期間よりも長い期間、押したままの場合、当該押したキーに応じた方向に、前記カーソルを前記メニューに対してスクロールさせることを特徴とする。